(57)【要約】【課題】夜間や暗い日でも出入口をすぐ発見できかつ、安全に出入できる出入口とその近傍に設置される表示システムを提供すること。【解決手段】バスなどの車両、建造物などにおける出入口の天井またはその側面などに取り付けられ、出入口の表面や、階段部分や、出入口外の路面などに照射できる１ないし複数の半導体発光素子などからなる光源を設け、かかる光源の発光面側を覆うように設けられ、適宜の字や図形が描かれた透明ないし半透明の透光部材とからなること。【選択図】図１
2010286800.tif 000002
【特許請求の範囲】
【請求項１】
バスなどの車両、建造物などにおける出入口の天井またはその側面などに取り付けられ、出入口の表面や、階段部分や、出入口外の路面などに照射できる１ないし複数の半導体発光素子などからなる光源を設け、かかる光源の発光面側を覆うように設けられ、適宜の字や図形が描かれた透明ないし半透明の透光部材とからなることを特徴とした照明器具を用いた出入口とその近傍の表示システム
【請求項２】
上記請求項１に示した半導体発光素子からの照射光は、バスなどの車両、建造物などの適宜の位置に取り付けられた反射鏡を介して、出入口の表面や、階段部分や、出入口外の表面などに照射できるようにしたことを特徴とする、照明器具を用いた出入口とその近傍の表示システム
【請求項３】
上記請求項１および２に示した半導体発光素子は、１ない複数のケーシングに収められ、該ケーシングはバスなどの車両、建造物などの取り付け位置を支点として、旋回動できるようにしたことを特徴とする、照明器具を用いた出入口とその近傍の表示システム
【請求項４】
上記請求項１乃至３に示した半導体発光素子は上記ケーシングの末端部に収められ、該ケーシング内には半導体発光素子の照射方向に向い偏光レンズ、光フィルターが配されていることが特徴の照明器具を用いた出入口とその近傍の表示システム
【発明の詳細な説明】
【技術分野】
【０００１】本発明は、バスなどの車両、建造物などの出入口や、その出入口外の近傍に設置される表示システムに関する。
【背景技術】
【０００２】夜間や暗い日などにあって、建物の玄関や，バスなど自動車の出入口に照明がされていればその出入口の存在がすぐ分かり、老人でなくとも安全に出入できるというものであり、またかかる出入口に歓迎の言葉や広告宣伝文の表示がなされているとすれば、出入り口を利用する者の心を和ませかつ宣伝効果も挙がるというものである。【０００３】しかして従来、例えば車両の出入口の照明手段として、技術文献１に示すような開閉スイッチの発明があり、車両内に設けられた文字表示部を照明する手段の発明としては、ＬＣＤにシール部を設け、このシール部を光源として利用し、導光体を介して押しボタンに導いて、表示を照明するようにしたのも（特許文献２）があり、さらに車両内の広告宣伝手段としては、車両天井に外部から視認できる広告宣伝部を設けるとともに、この広告宣伝部を夜間でも視認できるようにした発明（特許文献３）がある。【０００４】しかしこれら従来の技術には、出入口部分を照明するものはあっても、当該出入口の外の路面など同時に照らす発明や考案はなされていない。
【先行技術文献】
【特許文献】
【０００５】
【特許文献１】  特公表２００５−５０２１７０
【特許文献２】  実開平５−２７８９５
【特許文献３】  特開平１０−３１５８５５
【発明が解決しようとする課題】
【０００６】しかして本案の目的とするところは、建物の玄関や車両の昇降口にあって、夜間や暗い日でもすぐその出入口を発見でき、この結果安全に出入できる出入口とその近傍に設置される表示システムを提供することにある。しかもかかる出入口やその近傍には、出入の際の注意を促す言葉や、提供会社の社名や商品のロゴマークなどの宣伝文字や、歓迎などの心使いの文字表示を描くことができる出入口とその近傍に設置される表示システムを提供することにある。
【課題を解決するための手段】
【０００７】しかして本案照明器具を用いた出入口とその近傍の表示システムの特徴は、バスなどの車両や、建造物の玄関などにおける出入口の天井またはその側面などに取り付けられ、出入口の表面や、階段部分や、出入口外の路面などに照射できる１ないし複数の半導体発光素子などからなる光源を設けたことである。
【０００８】また上記半導体発光素子からの照射光は、バスなどの車両、建造物などの適宜の位置に取り付けられた反射鏡を介して、出入口の表面や、階段部分や、出入口外の表面などに照射できるようにしたこともその特徴である。
【０００９】続いてこの半導体発光素子は、１ない複数のケーシングに収められ、該ケーシングはバスなどの車両、建造物などの取り付け位置を支点として、旋回動できるようにしたことも、さらにこの半導体発光素子は上記ケーシングの末端部に収められ、該ケーシング内には半導体発光素子の照射方向に向い偏光レンズ、光フィルターが配されていることもその特徴である。
【００１０】そして上記光源の発光面側を覆うように設けられ、適宜の文字や図形が描かれた透明ないし半透明の透光部材を有することもその特徴である。
【００１１】なお、本案を実施する場合上記光源は、光の三原色である赤色・緑色・青色をそれぞれ発する３つの半導体発光素子を単位として隣接させ、組み合わせたものとすることが好ましい。
【発明の効果】
【００１２】そして本案の上記光源からの光は、バスなどの車両や建物の玄関などにあって、その出入口の表面や、階段部分や、外の路面などを照射できるようにしたから、夜間や暗い日などかかる出入口をすぐ発見できかつ、しかもこの出入口は照明が施されているので、安全に出入できるのである。
【００１３】そしてこの照射された部分には、半透明の透光部材によって注意を促す言葉や、提供会社の社名や商品のロゴマークなどの宣伝文字や、歓迎などの心使いの文字表示を描くことができたのである。
【図面の簡単な説明】
【００１４】
【図１】本案システムを取り付けたバスの斜視図
【図２】同バスの出入口部分における照射光の作用図
【図３】ケーシングの横断面図
【図４】ケーシングの縦断面図
【図５】本案システムを取り付けたバスの照射作用説明図
【図６】ケーシングの一部切り欠斜視図
【図７】他のケーシングの縦断面図
【図８】他のケーシングの外見図
【発明を実施するための形態】
【００１５】しかしてこの発明の実施例として、図に示すようにバスなどの自動車（１）に実施した場合を示した。そして（２）はかかる自動車（１）の出入口であり、（３）は、かかる出入口（２）の近傍の車外の路面である。
【００１６】また、（４）は、自動車（１）の天井またはその側面などに取り付けられ、上記自動車（１）の出入口（２）の表面や、階段部分や、車外の路面（３）などに照射できるＬＥＤのような光源をもつ筒状カバー（５）内に配された複数のケーシングである。そして、ケーシング（４）の構成の一例は図３に示した。即ち図では三本の筒状のケーシング（４）が互いに隣接されて組み合わされてカバー（５）内に収められている。
【００１７】このケーシング（４）内にはその一側端に１乃至数個のＬＥＤ（６）が設けられている。そしてその周囲には同心円上に屈曲レンズ（７）が設けられる。しかしてこの屈曲レンズ（７）はＬＥＤ（６）からその周囲に発せられる光全てを、一方方向の水平方向に照射させるためのものである。
【００１８】さらに（８）は、このＬＥＤ（６）の照射方向に対応させてかつ間隔をおいて配置され、文字や図形が描かれた透明ないし半透明の透光部材である。また、（９）はこの透光部材（８）に対応させてかつ間隔をおいて配されたレンズであり、（１０）は、レンズ（９）と対応させ間隔をおいて配した反射鏡である。
【００１９】さらに図示および詳細な説明を省くが夫々のケーシング（４）は、図８のように、筒状のケーシング（４）がそれぞれ軸線に沿い中心方向に摺動できる例えば３つの摺動ケーシング（１１）（１２）（１３）とすれば、自動車（１）の出入口（２）やこれに続く一般的な路面（３）での映像や図形、文字の焦点を容易に合わせることができるのである。
【００２０】さらにケーシング（４）の他の実施例として、図７に示した。それはこのケーシング（４）一側端の内壁に接してＬＥＤ（６）と屈曲レンズ（７）とが配置される部位（１４）が設けられ、続いてケーシング（４）の内周面に２条の突条溝（１５）があり、これは上記の文字や図形が描かれた透明ないし半透明の透光部材（８）を嵌合させるものである。
【００２１】すなわちこの透光部材（８）は、それに描かれた文字や図形が常に変更される。この為には予め多数の異なった文字や図形が描かれた透光部材（８）を多数用意し、この透光部材（８）をケーシング（４）外部から上記突条溝（１５）に自由容易に交換できるようにすることが好ましい。
【００２２】また（１６）は、上記突条溝（１５）と同様のレンズ（７）のレンズ突条溝あり、（１７）は反射鏡（１０）の同様の鏡突条溝である。しかしてこのように、本案の各部材はそれぞれの突条溝に単に嵌め込めばよく、その組み立ては頗る容易である。
【００２３】なお、上記のカバー（５）内に３本のケーシング（４）を設けることは、たとえばその１つを、自動車（１）内の出入口（２）及び路面（３）を照射させるための明るい背景色となっており、他の１つは上記のケーシング（４）の照射部分に重ね合わせ「Ｗｅｌｃｏｍｅ」や、その他宣伝文字や上記とは異なった色彩で照射させるものであり、さらに他の１つは、自動車（１）の出入口（２）に続く一般的な路面（３）に、適宜な形状の模様や色彩を照射させ、自動車（１）の出入口（２）の存在を表示させるものである。
【００２４】なお上記各ケーシング（４）の照射光は、上記に限らず光の三原色である赤色・緑色・青色を発する透光部材（５）としても、それぞれ発光する３つ色彩のＬＥＤ（６）で自由な色彩の組み合わせとすることもできる。
【００２５】以上のように本案ケーシング（４）からの光は、バスなどの自動車（１）にあって、その出入口（２）の表面や、階段部分や、車外の路面（３）などを照射できるようにしたから、夜間や暗い日などバスなど自動車（１）の出入口（２）をすぐ発見できかつ、かかる出入口（２）は照明が施されているので、安全に出入できるのである。
【００２６】しかもこの照射された部分には、半透明の透光部材（５）によって注意を促す言葉や、提供会社の社名や商品のロゴマークなどの宣伝文字や、歓迎などの心使いの文字表示を描くことができたのである。
【産業上利用の可能性】
【００２７】本発明は、上記実施例で示したバスなど車輛の出入り口の他、コンビニエンスストアなど一般的な店舗の出入り口にも実施できる。
【符号の説明】
【００２８】１、自動車  ２、出入口  ３、路面  ４、ケーシング  ５、カバー  ６、ＬＥＤ  ７、屈曲レンズ  ８、透光部材  ９、レンズ  １０、反射鏡  １１，１２、１３、摺動ケーシング  １４、部位  １５，１６、１７、突条溝
【図１】
2010286800.tif 000003
【図２】
2010286800.tif 000004
【図３】
2010286800.tif 000005
【図４】
2010286800.tif 000006
【図５】
2010286800.tif 000007
【図６】
2010286800.tif 000008
【図７】
2010286800.tif 000009
【図８】
2010286800.tif 000010